(57)【要約】【課題】情報読取装置の小型化を図りつつ、読取作業時における読取結果を利用者に対して確実に視認させ得る構成を提供する。【解決手段】情報コードＣの読取結果に応じて発光可能な複数の発光部として、第１発光部６０ａ及び第２発光部６０ｂが設けられており、第２発光部６０ｂは、筐体１１の上面１２のうち読取口１３ａが設けられる側面（読取面）１３の近くに配置される第１発光部６０ａよりも、読取口１３ａから離れた位置に配置される。【選択図】図１
2019016315.tif 000002
【特許請求の範囲】
【請求項１】
記録媒体に記録された情報を読み取る読取手段と、
前記読取手段により前記記録媒体の情報を読み取る際に当該記録媒体に向けられる読取面が外面に形成される筐体と、
を備える情報読取装置であって、
前記読取手段による前記記録媒体の情報の読取結果に応じて発光可能な複数の発光部として、少なくとも第１発光部及び第２発光部を有し、
前記第２発光部は、前記筐体の前記外面のうち前記読取面の近くに配置される前記第１発光部よりも、前記読取面から離れた位置に配置されることを特徴とする情報読取装置。
【請求項２】
前記読取手段は、前記記録媒体に表示された情報コードからの反射光を前記読取面に設けられる読取口を介して受光することで、前記情報コードに記録される情報を光学的に読み取る光学的情報読取手段として機能することを特徴とする請求項１に記載の情報読取装置。
【請求項３】
前記筐体の前記外面を構成する複数の面のうち前記第１発光部が配置される面と前記第２発光部が配置される面とが異なること特徴とする請求項１又は２に記載の情報読取装置。
【請求項４】
前記筐体は、前記読取面が形成される読取部に対して把持部が連結するように形成され、
前記第２発光部は、前記把持部のうち前記読取部から離れた端部に配置されることを特徴とする請求項１〜３のいずれか一項に記載の情報読取装置。
【請求項５】
前記第１発光部及び前記第２発光部の少なくともいずれか一方は、表示画面による高輝度表示を利用して構成されることを特徴とする請求項１〜４のいずれか一項に記載の情報読取装置。
【請求項６】
前記第１発光部及び前記第２発光部の少なくともいずれか一方は、操作キーに設けられるバックライトを利用して構成されることを特徴とする請求項１〜４のいずれか一項に記載の情報読取装置。
【請求項７】
前記読取結果に応じて、前記第１発光部及び前記第２発光部が同じように発光する第１発光状態と、前記第１発光部及び前記第２発光部のいずれか一方のみが発光する第２発光状態とを切り替える切替手段を備えることを特徴とする請求項１〜６のいずれか一項に記載の情報読取装置。
【請求項８】
前記筐体の姿勢を検出する姿勢検出部を備え、
前記第２発光状態では、前記姿勢検出部の検出結果に基づいて前記第１発光部及び前記第２発光部のいずれか一方が前記読取結果に応じて発光する発光部として選択されることを特徴とする請求項７に記載の情報読取装置。
【請求項９】
前記第１発光部と前記第２発光部との間には、前記読取手段により前記記録媒体の情報を読み取る際に操作される操作キーが配置されることを特徴とする請求項１〜８のいずれか一項に記載の情報読取装置。
【請求項１０】
前記筐体内に収容されて、前記読取手段による前記記録媒体の情報の読取結果に応じて放音する１又は２以上のブザーを備え、
前記筐体には、前記１又は２以上のブザーからの音を放散する２以上の放音孔が形成されることを特徴とする請求項１〜９のいずれか一項に記載の情報読取装置。
【請求項１１】
記録媒体に記録された情報を読み取る読取手段と、
前記読取手段により前記記録媒体の情報を読み取る際に当該記録媒体に向けられる読取面が外面に形成される筐体と、
利用者の一方の手により前記筐体が把持される第１把持状態を検知可能な一方のセンサと、
前記利用者の他方の手により前記筐体が把持される第２把持状態を検知可能な他方のセンサと、
を備える情報読取装置であって、
前記読取手段による前記記録媒体の情報の読取結果に応じて発光可能な複数の発光部として、少なくとも第１発光部及び第２発光部を有し、
前記第１発光部は、前記第１把持状態時に前記利用者の一方の手により覆われない位置に配置されて、前記第１把持状態が前記一方のセンサにより検出される場合に前記読取手段による前記記録媒体の情報の読取結果に応じて発光し、
前記第２発光部は、前記第２把持状態時に前記利用者の他方の手により覆われない位置に配置されて、前記第２把持状態が前記他方のセンサにより検出される場合に前記読取手段による前記記録媒体の情報の読取結果に応じて発光することを特徴とする情報読取装置。
【請求項１２】
前記一方のセンサ及び前記他方のセンサは、前記読取手段により利用者に対して視認させるべき読取結果が得られた場合に、検知可能な状態となることを特徴とする請求項１１に記載の情報読取装置。
【請求項１３】
前記第１発光部及び前記第２発光部は、前記筐体内に収容される光源と、前記筐体に形成される光源用の開口と前記光源との間に配置されて当該光源からの光を透過する保護部材とをそれぞれ備え、
前記保護部材は、前記筐体よりも柔軟性が高くなるように形成されることを特徴とする請求項１〜１２のいずれか一項に記載の情報読取装置。
【発明の詳細な説明】
【技術分野】
【０００１】
本発明は、情報読取装置に関するものである。
【背景技術】
【０００２】
従来、物品に付された情報コードなどの情報を読み取る情報読取装置として、例えば、下記特許文献１に開示される携帯型の光学情報読取装置が知られている。この光学情報読取装置のケースの上面には、読取を開始する際に操作されるトリガスイッチや表示器が配置されており、表示器は、光学情報読取装置モジュールが作動中であること、読取が成功したこと、読取が失敗したことなどをＬＥＤの発光色や点滅状態などによって表示するように構成されている。
【先行技術文献】
【特許文献】
【０００３】
【特許文献１】特開２００７−１３３４４８号公報
【発明の概要】
【発明が解決しようとする課題】
【０００４】
ところで、上述のような携帯型の情報読取装置では、読取作業性の向上等を目的に、小型軽量化が求められる場合が多い。しかしながら、単に情報読取装置を小型化すると、筐体を把持する手により当該筐体の外面が覆われる部分が広くなり、この覆われた部分に読取結果等を視覚的に報知するための発光部（以下、報知用発光部ともいう）が配置されていると、読取作業時における読取結果を視認できなくなる。また、報知用発光部が筐体を把持する手により直接覆われていなくても、筐体を把持する読取作業者（利用者）の目と報知用発光部との間に筐体を把持する手が介在していると、その読取作業者では読取結果が視認し難くなる。
【０００５】
特に、携帯型の情報読取装置では、棚卸作業等、様々な場所に配置される物品に付された情報コードを読み取る読取作業に利用されることが多い。そうすると、例えば、手元近くの情報コードを読み取る際に報知用発光部を視認できていた把持状態であっても、その把持状態のまま腕を上げて棚上等の高い場所にある情報コードを読み取る場合に、筐体を把持する手が筐体を把持する読取作業者の目と報知用発光部との間に介在することで、その読取作業者では読取結果が視認し難くなってしまう。
【０００６】
このため、読取対象となる記録媒体を付した物品が載置される場所によって報知用発光部の視認性が維持されるように筐体の把持状態を変えることもできるが、このように読取対象の場所によって筐体の把持状態を変えていると、読取作業性が悪化するという別の問題が生じてしまう。このような問題は、情報読取装置が小型化されるほど顕著になり、情報コードを光学的に読み取る情報読取装置だけでなく、無線タグ等を非接触通信にて読み取る情報読取装置であっても同様に生じてしまう。
【０００７】
本発明は、上述した課題を解決するためになされたものであり、その目的とするところは、情報読取装置の小型化を図りつつ、読取作業時における読取結果を利用者に対して確実に視認させ得る構成を提供することにある。
【課題を解決するための手段】
【０００８】
上記目的を達成するため、特許請求の範囲の請求項１に記載の発明は、
記録媒体（Ｒ）に記録された情報（Ｃ）を読み取る読取手段（２３，４０）と、
前記読取手段により前記記録媒体の情報を読み取る際に当該記録媒体に向けられる読取面（１３，１３ａ）が外面に形成される筐体（１１，１１ｃ）と、
を備える情報読取装置（１０）であって、
前記読取手段による前記記録媒体の情報の読取結果に応じて発光可能な複数の発光部として、少なくとも第１発光部（６０ａ）及び第２発光部（６０ｂ）を有し、
前記第２発光部は、前記筐体の前記外面のうち前記読取面の近くに配置される前記第１発光部よりも、前記読取面から離れた位置に配置されることを特徴とする。
【０００９】
また、請求項１１に記載の発明は、
記録媒体（Ｒ）に記録された情報（Ｃ）を読み取る読取手段（２３，４０）と、
前記読取手段により前記記録媒体の情報を読み取る際に当該記録媒体に向けられる読取面（１３，１３ａ）が外面に形成される筐体（１１）と、
利用者の一方の手により前記筐体が把持される第１把持状態を検知可能な一方のセンサ（４３ｂ）と、
前記利用者の他方の手により前記筐体が把持される第２把持状態を検知可能な他方のセンサ（４３ａ）と、
を備える情報読取装置（１０ａ）であって、
前記読取手段による前記記録媒体の情報の読取結果に応じて発光可能な複数の発光部として、少なくとも第１発光部（６０ｃ）及び第２発光部（６０ｄ）を有し、
前記第１発光部は、前記第１把持状態時に前記利用者の一方の手により覆われない位置に配置されて、前記第１把持状態が前記一方のセンサにより検出される場合に前記読取手段による前記記録媒体の情報の読取結果に応じて発光し、
前記第２発光部は、前記第２把持状態時に前記利用者の他方の手により覆われない位置に配置されて、前記第２把持状態が前記他方のセンサにより検出される場合に前記読取手段による前記記録媒体の情報の読取結果に応じて発光することを特徴とする。
なお、上記各括弧内の符号は、後述する実施形態に記載の具体的手段との対応関係を示すものである。
【発明の効果】
【００１０】
請求項１の発明では、読取手段による記録媒体の情報の読取結果に応じて発光可能な複数の発光部として、少なくとも第１発光部及び第２発光部が設けられており、第２発光部は、筐体の外面のうち読取面の近くに配置される第１発光部よりも、読取面から離れた位置に配置される。
【００１１】
これにより、例えば、棚上等の高い場所にある記録媒体に読取面を向けるように情報読取装置を把持した腕を上げたために、読取面近くの第１発光部と筐体を把持する利用者の目との間に筐体を把持する手が介在する場合でも、読取面から離れた位置に配置される第２発光部が筐体を把持する手により隠され難くなる。このように、読取面近くの第１発光部と読取面から離れた第２発光部との双方が筐体を把持する手により同時に隠されない配置構成とすることで、情報読取装置の小型化を図りつつ、読取作業時における読取結果を第１発光部及び第２発光部の少なくとも一方の発光状態を利用して利用者に対して確実に視認させることができる。
【００１２】
請求項２の発明では、読取手段は、記録媒体に表示された情報コードからの反射光を読取面に設けられる読取口を介して受光することで、情報コードに記録される情報を光学的に読み取る光学的情報読取手段として機能する。これにより、様々な場所にある情報コードに読取口を向ける場合でも、第１発光部と第２発光部との双方が筐体を把持する手により同時に隠されないため、情報コードの読取結果を利用者に対して確実に視認させることができる。
【００１３】
請求項３の発明では、筐体の外面を構成する複数の面のうち第１発光部が配置される面と第２発光部が配置される面とが異なるため、第１発光部と第２発光部との双方が筐体を把持する手により同時に隠され難くなり、読取作業時における読取結果を利用者に対して確実に視認させることができる。
【００１４】
請求項４の発明では、第２発光部は、筐体に設けられる把持部のうち読取部から離れた端部に配置される。これにより、読取面が記録媒体に向けられる場合には、相対的に第２発光部が利用者の目に近くなるので、第２発光部がより視認しやすくなり、情報コードの読取結果を利用者に対して確実に視認させることができる。
【００１５】
請求項５の発明では、第１発光部及び第２発光部の少なくともいずれか一方は、表示画面による高輝度表示を利用して構成されるため、表示画面を有する情報読取装置であれば、発光部に関して部品点数の削減や装置の小型化を図ることができる。
【００１６】
請求項６の発明では、第１発光部及び第２発光部の少なくともいずれか一方は、操作キーに設けられるバックライトを利用して構成されるため、バックライトが設けられる操作キーを有する情報読取装置であれば、発光部に関して部品点数の削減や装置の小型化を図ることができる。
【００１７】
請求項７の発明では、読取結果に応じて、第１発光部及び前記第２発光部が同じように発光する第１発光状態と、第１発光部及び第２発光部のいずれか一方のみが発光する第２発光状態とが切替手段により切り替えられる。これにより、例えば、読取作業時における読取結果を確実に視認したい場合には第１発光状態に切り替え、消費電力低減を優先する場合には第２発光状態に切り替える等、その環境に応じて発光状態を制御でき、読取結果の視認性と消費電力低減との両立を図ることができる。
【００１８】
請求項８の発明では、切替手段により切り替えられる第２発光状態において、筐体の姿勢を検出する姿勢検出部の検出結果に基づいて第１発光部及び第２発光部のいずれか一方が読取結果に応じて発光する発光部として選択される。これにより、情報読取装置を把持した腕を上げた際など、第１発光部と筐体を把持する利用者の目との間に筐体を把持する手が介在する場合が想定されるような筐体の姿勢が検出される場合には、読取結果に応じて発光する発光部として第２発光部を選択することができ、第２発光部と筐体を把持する利用者の目との間に筐体を把持する手が介在する場合が想定されるような筐体の姿勢が検出される場合には、読取結果に応じて発光する発光部として第１発光部を選択することができる。このように、姿勢検出部の検出結果に基づいて第１発光部及び第２発光部のいずれか一方を適切に選択することで、読取作業時にどのような姿勢で筐体が把持されている場合でも、消費電力低減を図りつつ、読取作業時における読取結果の視認性を維持することができる。
【００１９】
請求項９の発明では、第１発光部と第２発光部との間には、読取手段により記録媒体の情報を読み取る際に操作される操作キーが配置されるため、第１発光部と第２発光部との間に筐体を把持する手の指が介在することとなる。これにより、読取面を記録媒体に向けた際に第１発光部と筐体を把持する利用者の目との間に操作キーを操作する手の指が介在する場合でも、その手の指により第２発光部が隠され難くなり、読取作業時における読取結果を利用者に対して第２発光部の発光状態を利用して確実に視認させることができる。
【００２０】
請求項１０の発明では、読取手段による記録媒体の情報の読取結果に応じて放音する１又は２以上のブザーが筐体内に収容されており、筐体には、ブザーからの音を放散する２以上の放音孔が形成されている。このように２以上の放音孔が形成されることで、筐体を把持する手により覆われない放音孔を確保しやすくなるので、発光部の発光状態だけでなく読取結果に応じて放音するブザーからの音を利用して、読取作業時における読取結果を利用者に対して確実に認識させることができる。
【００２１】
請求項１１の発明では、利用者の一方の手により筐体が把持される第１把持状態を検知可能な一方のセンサと、利用者の他方の手により筐体が把持される第２把持状態を検知可能な他方のセンサとに加えて、読取手段による記録媒体の情報の読取結果に応じて発光可能な複数の発光部として、少なくとも第１発光部及び第２発光部が設けられている。そして、第１発光部は、第１把持状態時に利用者の一方の手により覆われない位置に配置されて、第１把持状態が一方のセンサにより検出される場合に読取手段による記録媒体の情報の読取結果に応じて発光し、第２発光部は、第２把持状態時に利用者の他方の手により覆われない位置に配置されて、第２把持状態が他方のセンサにより検出される場合に読取手段による記録媒体の情報の読取結果に応じて発光する。
【００２２】
これにより、利用者の一方の手により筐体が把持される第１把持状態であれば、その把持状態が一方のセンサにより検知されて、第１把持状態時に利用者の一方の手により覆われない位置に配置される第１発光部の発光状態を利用して読取作業時における読取結果を利用者に対して視認させることができる。一方、利用者の他方の手により筐体が把持される第２把持状態であれば、その把持状態が他方のセンサにより検知されて、第２把持状態時に利用者の他方の手により覆われない位置に配置される第２発光部の発光状態を利用して読取作業時における読取結果を利用者に対して視認させることができる。特に、第１発光部及び第２発光部の双方を発光状態にすることなくいずれか一方の発光状態により読取作業時における読取結果を利用者に対して視認させることができるので、第１発光部及び第２発光部の双方を同時に発光状態にする場合と比較して、消費電力低減を図ることができる。
【００２３】
請求項１２の発明では、一方のセンサ及び他方のセンサは、読取手段により利用者に対して視認させるべき読取結果が得られた場合に、検知可能な状態となるため、読取手段による読取結果が得られないような待機状態では一方のセンサ及び他方のセンサが動作することもないので、さらなる消費電力低減を図ることができる。
【００２４】
請求項１３の発明では、第１発光部及び第２発光部は、筐体内に収容される光源と、筐体に形成される光源用の開口と光源との間に配置されて当該光源からの光を透過する保護部材とをそれぞれ備えており、保護部材は、筐体よりも柔軟性が高くなるように形成されている。これにより、筐体に対して落下による衝撃等が作用する場合でも、この衝撃等が保護部材の柔軟な弾性変形により吸収されるので、筐体内に収容される光源やこの光源が実装される基板等を上記衝撃等から保護することができる。
【図面の簡単な説明】
【００２５】
【図１】第１実施形態に係る情報読取装置を示す斜視図である。
【図２】図１の情報読取装置の平面図である。
【図３】図１の情報読取装置の正面図である。
【図４】図１の情報読取装置の底面図である。
【図５】図１の情報読取装置の左側面図である。
【図６】図１の情報読取装置の右側面図である。
【図７】図１の情報読取装置の一部の分解斜視図である。
【図８】図１の情報読取装置の電気的構成を概略的に例示するブロック図である。
【図９】目上の情報コードに読取口を向けたときの視認状態を例示する説明図である。
【図１０】第１実施形態の第１変形例に係る情報読取装置を示す右側面図である。
【図１１】第１実施形態の第２変形例に係る情報読取装置を示す正面図である。
【図１２】第２実施形態において制御部にて行われる読取処理の流れを例示するフローチャートである。
【図１３】第３実施形態に係る情報読取装置を示す正面図である。
【図１４】第３実施形態に係る情報読取装置を示す背面図である。
【図１５】第３実施形態において制御部にて行われる読取処理の流れを例示するフローチャートである。
【図１６】読取部に対して把持部を連結するように筐体が構成される情報読取装置において第１発光部及び第２発光部が配置される位置を例示する説明図である。
【図１７】ライン状に発光する発光面により面単位で複数の発光部を設ける構成を例示する説明図である。
【図１８】ライン状に発光する発光面により面単位で複数の発光部を設ける構成を例示する説明図である。
【図１９】略Ｕ字状に発光する発光面により面単位で複数の発光部を設ける構成を例示する説明図である。
【図２０】筐体の上面のほぼ全域が発光面となる構成を例示する説明図である。
【発明を実施するための形態】
【００２６】
［第１実施形態］
以下、本発明の第１実施形態に係る情報読取装置について、図面を参照して説明する。
図１〜図８に示す情報読取装置１０は、バーコードや二次元コード等の情報コードを撮像して光学的に読み取る携帯型の光学的情報読取装置として構成されている。この情報読取装置１０は、ＡＢＳ樹脂等の合成樹脂からなる上ケース１１ａ及び下ケース１１ｂが組み付けられて構成される筐体１１によって略箱状の外郭が形成され、この筐体１１内に各種電気部品等からなる回路部２０が収容されている。筐体１１の長手方向一端側（図２の左側）の側面１３には、略長方形状の読取口１３ａが形成され、長手方向他端側（図２の右側）の側面１４には、充電電極１４ａが形成されている。また、筐体１１を把持しやすくするため、図２に示すように、筐体１１の側面１５，１６は、長手方向他端側の幅（図２の上下方向の長さ）が長手方向一端側の幅よりも短くなるように僅かに湾曲して形成されている。
【００２７】
本実施形態では、筐体１１の上面１２に、２つの操作キー（以下、第１操作キー５０ａ，第２操作キー５０ｂともいう）と、２つの発光部（以下、第１発光部６０ａ，第２発光部６０ｂともいう）とが設けられている。また、上面１２の長手方向他端側の中央には、筐体１１の長手方向に長くなる段部１２ａが形成されており、この段部１２ａの長手方向一端側に第１操作キー５０ａのキートップ５１ａが配置され、段部１２ａの長手方向他端側に第２操作キー５０ｂのキートップ５１ｂが配置されている。また、第１操作キー５０ａの近傍であって段部１２ａの長手方向一端側に形成される光源用の開口１２ｂを利用して第１発光部６０ａが配置され、第２操作キー５０ｂの近傍であって段部１２ａの長手方向他端側に形成される光源用の開口１２ｃを利用して第２発光部６０ｂが配置されている。なお、両操作キー５０ａ，５０ｂ及び両発光部６０ａ，６０ｂの機能については後述する。
【００２８】
次に、情報読取装置１０の電気的構成について、図面を参照して説明する。
図８に示すように、筐体１１に収容される回路部２０は、主に、照明光源２１、受光センサ２３、結像レンズ２７等の光学系と、メモリ３５、制御部４０等のマイクロコンピュータ（以下「マイコン」という）系とを備えている。
【００２９】
光学系は、投光光学系と、受光光学系とに分かれている。投光光学系を構成する照明光源２１は、マーカ光を兼ねた帯状の照明光Ｌｆを発光可能な照明手段として機能するもので、例えば、赤色のＬＥＤとこのＬＥＤの出射側に設けられるレンズとから構成されている。
【００３０】
受光光学系は、受光センサ２３、結像レンズ２７などによって構成されている。受光センサ２３は、例えば、Ｃ−ＭＯＳやＣＣＤ等の固体撮像素子である受光素子を二次元に配列したエリアセンサとして構成されるものであり、略方形状の受光領域として受光面２３ａを有するように構成されている。この受光センサ２３は、結像レンズ２７を介して入射する入射光を受光面２３ａにて受光可能にプリント配線板（図示略）に実装されている。
【００３１】
結像レンズ２７は、外部から読取口１３ａを介して入射する入射光を集光して受光センサ２３の受光面２３ａに像を結像可能な結像光学系として機能するものである。本実施形態では、照明光源２１から照射された照明光Ｌｆが情報コードＣやこの情報コードＣを表示した用紙等の記録媒体Ｒにて反射した際、この反射光Ｌｒを結像レンズ２７で集光し、受光センサ２３の受光面２３ａにコード像を結像させている。
【００３２】
マイコン系は、増幅回路３１、Ａ／Ｄ変換回路３３、メモリ３５、アドレス発生回路３６、同期信号発生回路３８、制御部４０、通信インタフェース４８等から構成されている。
【００３３】
光学系の受光センサ２３から出力される画像信号（アナログ信号）は、増幅回路３１に入力されることで所定ゲインで増幅され、その後、Ａ／Ｄ変換回路３３に入力されてアナログ信号からディジタル信号に変換される。そして、ディジタル化された画像信号、つまり画像データ（画像情報）は、ＲＯＭ、ＲＡＭなどの公知の記憶媒体によって構成されたメモリ３５に入力され、所定の格納領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３４】
制御部４０は、情報読取装置１０全体を制御可能なマイコンで、ＣＰＵ、システムバス、入出力インタフェース等からなるもので、メモリ３５とともに情報処理装置を構成し得るもので情報処理機能を有する。制御部４０は、メモリ３５に記憶される情報コードの画像データを解析して当該情報コードに記録されたデータを公知のデコード方法でデコード（解読）する読取処理を行うように構成されている。なお、制御部４０は、受光センサ２３とともに、読取対象の情報を光学的に読み取り可能な「読取手段」及び「光学的情報読取手段」の一例に相当し得る。
【００３５】
また、制御部４０は、内蔵された入出力インタフェースを介して種々の入出力装置と接続可能に構成されており、本実施形態の場合、操作キー５０ａ，５０ｂ、発光部６０ａ，６０ｂ、ブザー４１、ジャイロセンサ４２、通信インタフェース４８等が接続されている。
【００３６】
第１操作キー５０ａは、図７に示すように、キートップ５１ａと、制御基板７０に設けられる検知電極５２ａと、これらキートップ５１ａ及び検知電極５２ａの間に介在する弾性部５３ａとを有するように構成されている。この第１操作キー５０ａは、キートップ５１ａに対する押圧操作を弾性部５３ａを介して検知電極５２ａにて検知し、この検知結果が操作信号として制御部４０に対して出力されるように構成されている。同様に、第２操作キー５０ｂは、キートップ５１ｂと、制御基板７０に設けられる検知電極５２ｂと、これらキートップ５１ｂ及び検知電極５２ｂの間に介在する弾性部５３ｂとを有するように構成されている。この第２操作キー５０ｂは、キートップ５１ｂに対する押圧操作を弾性部５３ｂを介して検知電極５２ｂにて検知し、この検知結果が操作信号として制御部４０に対して出力されるように構成されている。
【００３７】
なお、本実施形態では、第１操作キー５０ａは、情報コードを光学的に読み取る読取処理を開始する際に操作されるトリガーキーとして設定されており、第２操作キー５０ｂは、その押圧操作に応じた制御部４０への指示を利用者が変更可能なマジックキーとして設定されている。
【００３８】
第１発光部６０ａは、図７に示すように、制御基板７０に設けられるＬＥＤ等の光源６１ａと、この光源６１ａを覆う弾性部６２ａとを有するように構成されている。弾性部６２ａは、筐体１１に形成される光源用の開口１２ｂと光源６１ａとの間に配置されて当該光源６１ａからの光を透過するように形成されている。同様に、第２発光部６０ｂは、制御基板７０に設けられるＬＥＤ等の光源６１ｂと、この光源６１ｂを覆う弾性部６２ｂとを有するように構成されている。弾性部６２ｂは、筐体１１に形成される光源用の開口１２ｃと光源６１ｂとの間に配置されて当該光源６１ｂからの光を透過するように形成されている。
【００３９】
本実施形態では、第１発光部６０ａ及び第２発光部６０ｂは、制御部４０により制御されて、情報コードの読取結果に応じてその発光状態が同じ変化をするように構成されている。このため、第１発光部６０ａ及び第２発光部６０ｂのいずれか一方の発光状態を視認できれば、情報コードのデコード成否等の読取結果を把握することができる。例えば、本実施形態では、第１発光部６０ａ及び第２発光部６０ｂは、情報コードのデコードが成功すると、デコード成功を示す発光状態として双方とも同じ所定の点灯状態となり、情報コードのデコードが失敗すると、デコード失敗を示す発光状態として双方とも同じ所定の点滅状態となる。
【００４０】
特に、本実施形態では、図７に示すように、操作キーの一部を構成する弾性部５３ａ，５３ｂ及び発光部の一部を構成する弾性部６２ａ，６２ｂが保護部材７１として制御基板７０の上面を覆うように一体成形されている。この保護部材７１は、例えば、透明度の高いシリコン等により構成されて、光源からの光を透過する機能に加えて、筐体１１よりも柔軟性が高くなるように形成されることで、落下衝撃等による筐体１１の変形から制御基板７０等を保護する衝撃緩和の機能を兼備するように構成されている。
【００４１】
ブザー４１は、公知のブザーによって構成されており、制御部４０により制御されて、情報コードの読取結果等に応じた所定の音を発生して筐体１１に形成される放音孔を介して放散（放音）するように構成されている。ジャイロセンサ４２は、筐体１１の傾き等を含めた姿勢を検出する姿勢検出部として機能するもので、その検出結果が制御部４０に出力されるように構成されている。通信インタフェース４８は、外部（例えばホスト装置）との間でのデータ通信を行うためのインタフェースとして構成されており、制御部４０と協働して通信処理を行うように機能する。
【００４２】
また、筐体１１内には、電源部が設けられており、この電源部やバッテリによって制御部４０や各種電気部品に電力が供給されるようになっている。なお、バッテリが収容される空間は、筐体１１の下面１７に設けられる電池蓋１７ａにより閉塞されている。
【００４３】
次に、このように構成される情報読取装置１０を利用して情報コードを読み取る読取作業について、図を参照して説明する。
記録媒体Ｒに表示された情報コードＣを読み取るとき、利用者（読取作業者）は、情報読取装置１０を把持した状態で読取口１３ａを情報コードＣに向け、第１操作キー５０ａを押圧操作する。これにより、制御部４０による読取処理が開始され、受光センサ２３を利用して情報コードを撮像することで生成された画像データが解析される。この解析により情報コードに記録されたデータのデコードに成功すると、第１発光部６０ａ及び第２発光部６０ｂがデコード成功を示す所定の点灯状態となる。利用者は、第１発光部６０ａ及び第２発光部６０ｂの所定の点灯状態を視認することで、デコード成功を認識することができる。
【００４４】
一方、例えば、棚上等の高い場所にある商品等に付した記録媒体Ｒに表示された情報コードＣに読取口１３ａを向けるように情報読取装置１０を把持した腕を上げたために、図９からわかるように、読取口１３ａ近くの第１発光部６０ａと筐体１１を把持する利用者の目との間に筐体１１を把持する手Ｈが介在する場合がある。このような場合でも、読取口１３ａから離れた位置に配置される第２発光部６０ｂが筐体１１を把持する手Ｈにより隠され難くなるため、利用者は、第２発光部６０ｂの所定の点灯状態を視認することで、デコード成功を認識することができる。
【００４５】
また、第２発光部６０ｂが隠されるように情報読取装置１０が把持される場合でも、第２発光部６０ｂと第１発光部６０ａとの間に２つの操作キー５０ａ，５０ｂが配置されているため、第１発光部６０ａまでもが隠されるように把持され難い。この場合には、利用者は、第１発光部６０ａの発光状態を視認することで、デコード成否等の読取結果を認識することができる。
【００４６】
以上説明したように、本実施形態に係る情報読取装置１０では、情報コードＣの読取結果に応じて発光可能な複数の発光部として、第１発光部６０ａ及び第２発光部６０ｂが設けられており、第２発光部６０ｂは、筐体１１の上面１２のうち読取口１３ａが設けられる側面（読取面）１３の近くに配置される第１発光部６０ａよりも、読取口１３ａから離れた位置に配置される。
【００４７】
これにより、例えば、図９に例示するような把持状態でも、読取口１３ａから離れた位置に配置される第２発光部６０ｂが筐体１１を把持する手により隠され難くなる。このように、読取口１３ａ近くの第１発光部６０ａと読取口１３ａから離れた第２発光部６０ｂとの双方が筐体１１を把持する手により同時に隠されない配置構成とすることで、情報読取装置１０の小型化を図りつつ、読取作業時における読取結果を第１発光部６０ａ及び第２発光部６０ｂの少なくとも一方の発光状態を利用して利用者に対して確実に視認させることができる。また、バイブレータ等の振動音が発生することもないので、静音性が求められる夜間の病院等であっても、発光部の発光状態に応じて読取結果を容易に認識することができる。
【００４８】
特に、情報読取装置１０の受光センサ２３及び制御部４０等は、記録媒体Ｒに表示された情報コードＣからの反射光Ｌｒを側面（読取面）１３に設けられる読取口１３ａを介して受光することで、情報コードＣに記録される情報を光学的に読み取る光学的情報読取手段として機能する。これにより、様々な場所にある情報コードＣに読取口１３ａを向ける場合でも、第１発光部６０ａと第２発光部６０ｂとの双方が筐体１１を把持する手により同時に隠されないため、情報コードＣの読取結果を利用者に対して確実に視認させることができる。
【００４９】
さらに、第１発光部６０ａと第２発光部６０ｂとの間には、読取処理により記録媒体Ｒに表示される情報コードＣの情報を読み取る際に操作される２つの操作キー５０ａ，５０ｂが配置されるため、第１発光部６０ａと第２発光部６０ｂとの間に筐体１１を把持する手の指が介在することとなる。これにより、読取口１３ａを情報コードＣに向けた際に第１発光部６０ａと筐体１１を把持する利用者の目との間に操作キー５０ａ，５０ｂを操作する手の指が介在する場合でも、その手の指により第２発光部６０ｂが隠され難くなり、読取作業時における読取結果を利用者に対して第２発光部６０ｂの発光状態を利用して確実に視認させることができる。
【００５０】
また、第１発光部６０ａ及び第２発光部６０ｂは、筐体１１内に収容される光源６１ａ及び光源６１ｂと、筐体１１に形成される光源用の開口１２ｂ，１２ｃと光源６１ａ，６１ｂとの間に配置されて当該光源６１ａ，６１ｂからの光を透過する弾性部６２ａ及び弾性部６２ｂとをそれぞれ備えており、弾性部６２ａ及び弾性部６２ｂを含めた保護部材７１は、筐体１１よりも柔軟性が高くなるように形成されている。これにより、筐体１１に対して落下による衝撃等が作用する場合でも、この衝撃等が保護部材７１の柔軟な弾性変形により吸収されるので、筐体１１内に収容される光源６１ａ，６１ｂやこの光源６１ａ，６１ｂが実装される制御基板７０等を上記衝撃等から保護することができる。
【００５１】
なお、筐体１１の外面に設けられる複数の発光部は、第１発光部６０ａ及び第２発光部６０ｂの２つに限らず、３つ以上であってもよい。また、複数の発光部として第１発光部６０ａ及び第２発光部６０ｂの２つ設ける場合でも、第２発光部６０ｂは、筐体１１の外面のうち上面１２と異なる面に配置されてもよい。具体的には、第２発光部６０ｂは、例えば、本実施形態の第１変形例として、図１０に示すように側面１４に配置されてもよいし、本実施形態の第２変形例として、右利きの利用者が多いことを考慮して、図１１に示すように側面１５のうち長手方向他端側に配置されてもよい。また、第２発光部６０ｂは、例えば、筐体１１の外面のうち上面１２と異なる面として、側面１６や下面１７に配置されてもよい。また、例えば、情報読取装置１０がタブレット等の携帯端末に装着されて利用される場合には、携帯端末に向かう面と異なる面に第１発光部６０ａや第２発光部６０ｂを配置してもよい。また、例えば、情報読取装置１０がグローブ等で手に装着されて利用される場合には、グローブ等に向かう面と異なる面に第１発光部６０ａや第２発光部６０ｂを配置してもよい。
【００５２】
このように、筐体１１の外面を構成する複数の面のうち第１発光部６０ａが配置される面と第２発光部６０ｂが配置される面とが異なるようにしても、第１発光部６０ａと第２発光部６０ｂとの双方が筐体１１を把持する手により同時に隠され難くなり、読取作業時における読取結果を利用者に対して確実に視認させることができる。
【００５３】
また、本実施形態の第３変形例として、情報読取装置１０が筐体１１の外面に表示画面を有する構成であれば、第１発光部６０ａ及び第２発光部６０ｂの少なくともいずれか一方は、上記表示画面による高輝度表示を利用して構成されてもよい。これにより、発光部に関して部品点数の削減や装置の小型化を図ることができる。ここで、例えば、表示画面は、制御部４０により制御されて、読取結果等を表示可能に構成することができる。
【００５４】
また、本実施形態の第４変形例として、情報読取装置１０が操作キー５０ａ，５０ｂ又は他の操作キーにバックライトが設けられる構成であれば、第１発光部６０ａ及び第２発光部６０ｂの少なくともいずれか一方は、操作キーに設けられるバックライトを利用して構成されてもよい。このようにしても、発光部に関して部品点数の削減や装置の小型化を図ることができる。
【００５５】
［第２実施形態］
次に、本発明の第２実施形態に係る情報読取装置について、図面を参照して説明する。
本第２実施形態では、第１発光部６０ａ及び第２発光部６０ｂが同じように発光しない場合がある点が主に上記第１実施形態と異なる。このため、第１実施形態と実質的に同様の構成部分には同一符号を付して説明を省略する。
【００５６】
本実施形態に係る情報読取装置１０は、制御部４０にてなされる読取処理の際に、姿勢検出部として機能するジャイロセンサ４２の検出結果に基づいて第１発光部６０ａ及び第２発光部６０ｂのいずれか一方が読取結果に応じて発光する発光部として選択されるように構成されている。具体的には、例えば、ジャイロセンサ４２の検出結果に基づいて、情報読取装置１０を把持した腕を上げた際など、第１発光部６０ａと筐体１１を把持する利用者の目との間に筐体１１を把持する手Ｈが介在する場合が想定されるような筐体１１に関して所定の姿勢が検出される場合には、読取結果に応じて発光する発光部として第２発光部６０ｂが選択される。一方、上記所定の姿勢と異なる姿勢が検出される場合、例えば、第２発光部６０ｂと筐体１１を把持する利用者の目との間に筐体１１を把持する手Ｈが介在する場合が想定されるような筐体１１の姿勢が検出される場合には、読取結果に応じて発光する発光部として第１発光部６０ａが選択される。
【００５７】
以下、本実施形態において、制御部４０にてなされる読取処理について、図１２に示すフローチャートを参照して詳述する。
なお、以下の説明では、筐体１１が水平状態であるときに傾き角度θがジャイロセンサ４２により０°と検出されることを前提に、ジャイロセンサ４２により検出される傾き角度θが所定の角度（例えば、４５°）以上となる場合に、上記所定の姿勢が検出されるとして第２発光部６０ｂが選択され、傾き角度θが上記所定の角度未満となる場合に、上記所定の姿勢と異なる姿勢が検出されるとして第１発光部６０ａが選択される場合について説明する。
【００５８】
まず、記録媒体Ｒに表示される情報コードＣに読取口１３ａを向けた状態にて第１操作キー５０ａが押圧操作されることで制御部４０にて読取処理が開始されると、図１２のステップＳ１０１に示す撮像処理がなされ、照明光Ｌｆが照射された状態で受光センサ２３を利用して情報コードＣが撮像される。続いて、ステップＳ１０３に示すデコード処理がなされ、撮像された情報コードＣのコード画像に対して公知のデコード処理が実施される。
【００５９】
続いて、ステップＳ１０５の判定処理にて、ジャイロセンサ４２により検出される傾き角度θに基づいて所定の姿勢であるか否かについて判定される。ここで、傾き角度θが上記所定の角度未満であることから所定の姿勢でないと判定されると（Ｓ１０５でＮｏ）、読取結果に応じて発光する発光部として第１発光部６０ａが選択され、上記ステップＳ１０３での読取結果に応じて第１発光部６０ａが発光する（Ｓ１０７）。この場合、第１発光部６０ａは、上記ステップＳ１０３でのデコードが成功している場合には上記所定の点灯状態となり、上記ステップＳ１０３でのデコードが失敗している場合には上記所定の点滅状態となる。
【００６０】
一方、傾き角度θが上記所定の角度以上であることから所定の姿勢であると判定されると（Ｓ１０５でＹｅｓ）、読取結果に応じて発光する発光部として第２発光部６０ｂが選択され、上記ステップＳ１０３での読取結果に応じて第２発光部６０ｂが発光する（Ｓ１０９）。この場合、第２発光部６０ｂは、第１発光部６０ａと同様に、上記ステップＳ１０３でのデコードが成功している場合には上記所定の点灯状態となり、上記ステップＳ１０３でのデコードが失敗している場合には上記所定の点滅状態となる。
【００６１】
そして、上記ステップＳ１０３でのデコードが成功していると（Ｓ１１１でＹｅｓ）、情報コードＣのデコードにより取得されたデータが通信インタフェース４８を介して外部に送信され（Ｓ１１３）、所定時間後、選択された発光部が消灯状態となる（Ｓ１１５）。なお、デコードにより取得されたデータは、その都度外部に送信されてもよいし、メモリ３５に記憶された後に所定のタイミングにてまとめて外部に送信されてもよい。一方、上記ステップＳ１０３でのデコードが失敗していると（Ｓ１１１でＮｏ）、上記ステップＳ１０１からの処理がなされる。
【００６２】
以上説明したように、本実施形態に係る情報読取装置１０では、筐体１１の姿勢を検出する姿勢検出部としてのジャイロセンサ４２の検出結果に基づいて第１発光部６０ａ及び第２発光部６０ｂのいずれか一方が読取結果に応じて発光する発光部として選択される。このように、姿勢検出部として機能するジャイロセンサ４２の検出結果に基づいて第１発光部６０ａ及び第２発光部６０ｂのいずれか一方を適切に選択することで、読取作業時にどのような姿勢で筐体１１が把持されている場合でも、消費電力低減を図りつつ、読取作業時における読取結果の視認性を維持することができる。
【００６３】
なお、情報読取装置１０は、読取結果に応じて発光する発光部として常に第１発光部６０ａ及び第２発光部６０ｂのいずれか一方が選択されることに限らず、第１発光部６０ａ及び第２発光部６０ｂが同じように発光する第１発光状態と、上述した読取処理のように第１発光部６０ａ及び第２発光部６０ｂのいずれか一方のみが発光する第２発光状態とが切り替え可能に構成されてもよい。第１発光状態と第２発光状態との切り替えは、第２操作キー５０ｂ等による操作やジャイロセンサ４２による所定の検知状態、通信インタフェース４８を介した外部からの指示等に応じて制御部４０によりなされる切替処理により行うことができる。なお、制御部４０等は、「切替手段」の一例に相当し得る。
【００６４】
これにより、例えば、読取作業時における読取結果を確実に視認したい場合には第１発光状態に切り替え、消費電力低減を優先する場合には第２発光状態に切り替える等、その環境に応じて発光状態を制御でき、読取結果の視認性と消費電力低減との両立を図ることができる。
【００６５】
また、上記第２発光状態では、ジャイロセンサ４２の検出結果に基づいて第１発光部６０ａ及び第２発光部６０ｂのいずれか一方が読取結果に応じて発光する発光部として選択されることに限らず、利用者による操作に応じて第１発光部６０ａ及び第２発光部６０ｂのいずれか一方が読取結果に応じて発光する発光部として予め選択されてもよい。これにより、例えば、棚上等の高い場所にある商品等に付した記録媒体Ｒに表示された情報コードＣのみを読み取るような場合には、第２発光部６０ｂを読取結果に応じて発光する発光部として予め選択することができる。また、例えば、医療現場等では、就寝中の患者のリストバンドに付された情報コードを読み取る場合でも、患者側から視認し難い方の発光部を予め選択することもできる。
【００６６】
［第３実施形態］
次に、本発明の第３実施形態に係る情報読取装置について、図面を参照して説明する。
本第３実施形態では、筐体１１の外面に設けられるセンサを利用して読取結果に応じて発光する発光部を選択する点が主に上記第２実施形態と異なる。このため、第２実施形態と実質的に同様の構成部分には同一符号を付して説明を省略する。
【００６７】
本実施形態に係る情報読取装置１０ａは、上述した情報読取装置１０に対して、第１発光部６０ａ及び第２発光部６０ｂが廃止され、図１３に示すように、筐体１１の側面１５にタッチセンサ４３ａ及び第１発光部６０ｃが設けられ、図１４に示すように、筐体１１の側面１６にタッチセンサ４３ｂ及び第２発光部６０ｄが設けられるように構成されている。
【００６８】
このため、タッチセンサ４３ｂは、利用者の右手（一方の手）により筐体１１が把持される第１把持状態を検知可能な一方のセンサとして機能するため側面１５の長手方向他端側に配置されており、その検知結果を制御部４０に出力するように構成されている。また、タッチセンサ４３ａは、利用者の左手（他方の手）により筐体１１が把持される第２把持状態を検知可能な他方のセンサとして機能するため側面１６の長手方向他端側に配置されており、その検知結果を制御部４０に出力するように構成されている。
【００６９】
また、第１発光部６０ｃは、図１３に示すように、タッチセンサ４３ａよりも読取口１３ａに近くなるように配置されることで、第１把持状態時に利用者の右手により覆われない位置に配置されて、第１把持状態がタッチセンサ４３ｂにより検出される場合に読取結果に応じて発光する発光部として選択される。また、第２発光部６０ｄは、図１４に示すように、タッチセンサ４３ｂよりも読取口１３ａに近くなるように配置されることで、第２把持状態時に利用者の左手により覆われない位置に配置されて、第２把持状態がタッチセンサ４３ａにより検出される場合に読取結果に応じて発光する発光部として選択される。
【００７０】
次に、上述のように構成される情報読取装置１０ａの制御部４０にてなされる読取処理について、図１５に示すフローチャートを参照して詳述する。
上記第２実施形態と同様に、記録媒体Ｒに表示される情報コードＣに読取口１３ａを向けた状態にて第１操作キー５０ａが押圧操作されることで制御部４０にて読取処理が開始されると、図１５のステップＳ１０１に示す撮像処理がなされて情報コードＣが撮像され、その撮像された情報コードＣのコード画像に対して公知のデコード処理が実施される（Ｓ１０３）。
【００７１】
続いて、ステップＳ１０５ａの判定処理にて、タッチセンサ４３ｂによる検出結果に基づいて、第１把持状態であるか否かについて判定される。ここで、利用者が筐体１１を右手で把持しておりその右手がタッチセンサ４３ｂに接触している場合には、第１把持状態であると検知されて（Ｓ１０５ａでＹｅｓ）、読取結果に応じて発光する発光部として第１発光部６０ｃが選択される（Ｓ１０７ａ）。
【００７２】
一方、タッチセンサ４３ｂにて右手による把持が検知されていないことから上記ステップＳ１０５ａにてＮｏと判定されると、ステップＳ１０５ｂの判定処理にて、タッチセンサ４３ａによる検出結果に基づいて、第２把持状態であるか否かについて判定される。ここで、利用者が筐体１１を左手で把持しておりその左手がタッチセンサ４３ａに接触している場合には、第２把持状態であると検知されて（Ｓ１０５ｂでＹｅｓ）、読取結果に応じて発光する発光部として第２発光部６０ｄが選択される（Ｓ１０９ａ）。
【００７３】
また、タッチセンサ４３ａにて左手による把持が検知されていないことから上記ステップＳ１０５ｂにてＮｏと判定されると、タッチセンサ４３ａ及びタッチセンサ４３ｂに接触しないような把持の状態であるとして、読取結果に応じて発光する発光部として第１発光部６０ｃ及び第２発光部６０ｄの双方が選択される（Ｓ１１０）。
【００７４】
そして、上記ステップＳ１０３でのデコードが成功していると（Ｓ１１１でＹｅｓ）、選択された発光部が上記所定の点灯状態となり、情報コードＣのデコードにより取得されたデータが通信インタフェース４８を介して外部に送信され（Ｓ１１３）、所定時間後、選択された発光部が消灯状態となる（Ｓ１１５）。一方、上記ステップＳ１０３でのデコードが失敗していると（Ｓ１１１でＮｏ）、上記ステップＳ１０１からの処理がなされる。
【００７５】
以上説明したように、本実施形態に係る情報読取装置１０ａでは、利用者の右手（一方の手）により筐体１１が把持される第１把持状態を検知可能なタッチセンサ４３ｂと、利用者の左手（他方の手）により筐体１１が把持される第２把持状態を検知可能なタッチセンサ４３ａとに加えて、読取結果に応じて発光可能な複数の発光部として、第１発光部６０ｃ及び第２発光部６０ｄが設けられている。そして、第１発光部６０ｃは、第１把持状態時に利用者の右手により覆われない位置に配置されて、第１把持状態がタッチセンサ４３ｂにより検出される場合に読取結果に応じて発光し、第２発光部６０ｄは、第２把持状態時に利用者の左手により覆われない位置に配置されて、第２把持状態がタッチセンサ４３ａにより検出される場合に読取結果に応じて発光する。
【００７６】
これにより、利用者の右手により筐体１１が把持される第１把持状態であれば、その把持状態がタッチセンサ４３ｂにより検知されて、第１把持状態時に利用者の右手により覆われない位置に配置される第１発光部６０ｃの発光状態を利用して読取作業時における読取結果を利用者に対して視認させることができる。一方、利用者の左手により筐体１１が把持される第２把持状態であれば、その把持状態がタッチセンサ４３ａにより検知されて、第２把持状態時に利用者の左手により覆われない位置に配置される第２発光部６０ｄの発光状態を利用して読取作業時における読取結果を利用者に対して視認させることができる。特に、タッチセンサ４３ｂ及びタッチセンサ４３ａのいずれか一方にて把持が検知される場合には、第１発光部６０ｃ及び第２発光部６０ｄの双方を発光状態にすることなくいずれか一方の発光状態により読取作業時における読取結果を利用者に対して視認させることができるので、第１発光部６０ｃ及び第２発光部６０ｄの双方を同時に発光状態にする場合と比較して、消費電力低減を図ることができる。
【００７７】
なお、タッチセンサ４３ａ及びタッチセンサ４３ｂは、利用者に対して視認させるべき読取結果が得られた場合に、検知可能な状態となってもよい。これにより、読取結果が得られないような待機状態ではタッチセンサ４３ａ及びタッチセンサ４３ｂが動作することもないので、さらなる消費電力低減を図ることができる。
【００７８】
また、第１把持状態及び第２把持状態を検知可能なセンサとして、タッチセンサ４３ａ及びタッチセンサ４３ｂが採用されることに限らず、例えば、手が接触していなくても近接していることでその把持状態を検知可能な近接センサを採用してもよい。
【００７９】
なお、本発明は上記各実施形態及び変形例に限定されるものではなく、例えば、以下のように具体化してもよい。
（１）本発明は、上述した筐体１１のように箱状の筐体により外郭が構成される情報読取装置に適用されることに限らず、例えば、図１６に例示するように、読取口１３ａが形成される読取部１１ｄに対して把持部１１ｅが連結するように形成される筐体１１ｃにより外郭が構成される情報読取装置に適用されてもよい。この場合、第１発光部６０ａは、読取部１１ｄに配置され、第２発光部６０ｂは、把持部１１ｅのうち読取部１１ｄから離れた端部（ボトム部）に配置される。これにより、読取口１３ａが記録媒体Ｒに向けられる場合には、相対的に第２発光部６０ｂが利用者の目に近くなるので、第２発光部６０ｂがより視認しやすくなり、情報コードＣの読取結果を利用者に対して確実に視認させることができる。
【００８０】
（２）ブザー４１の放音孔は、筐体１１に１箇所形成されることに限らず、把持される手により覆われ難い箇所を考慮して、例えば下面１７や側面１４等に２箇所以上形成されてもよい。この場合、筐体１１内に収容されるブザー４１は、１つ設けられてもよいし２以上設けられてもよい。このように２以上の放音孔が形成されることで、筐体１１を把持する手により覆われない放音孔を確保しやすくなるので、発光部の発光状態だけでなく読取結果に応じて放音するブザー４１からの音を利用して、読取作業時における読取結果を利用者に対して確実に認識させることができる。
【００８１】
（３）上記第１実施形態において、第１発光部６０ａ及び第２発光部６０ｂは、それぞれに光源が設けられることに限らず、１つの光源を共用するように構成されてもよい。また、筐体１１の外面を構成する複数の面のうち少なくとも２面にかかるようにライン状に発光する発光面を設けることで、面単位で複数の発光部を設けてもよい。例えば、図１７に例示するように、上面１２から側面１４にかけてライン状の発光面６３ａを設けることで、第１発光部６０ａ及び第２発光部６０ｂを構成しても、上記第１実施形態と同等の効果を奏する。なお、この発光面６３ａは、側面１３を除き筐体１１のほぼ全周に沿うように略環状に設けられてもよい。また、例えば、図１８に例示するように、上面１２から側面１５にかけてライン状の発光面６３ｂを設けることで、第１発光部６０ａ及び第２発光部６０ｂを構成しても、上記第１実施形態と同等の効果を奏する。なお、この発光面６３ｂは、筐体１１のほぼ全周に沿うように略環状に設けられてもよい。また、例えば、図１９に例示するように、上面１２の縁から各側面１４〜１６の上縁にかかるように略Ｕ字状の発光面６３ｃを設けることで、第１発光部６０ａ及び第２発光部６０ｂを含めた複数の発光部を構成しても、上記第１実施形態と同等の効果を奏する。また、例えば、図２０に例示するように、上面１２のほぼ全域が発光面６３ｄとなるように構成されてもよいし、他の側面のほぼ全域が発光面となるように構成されてもよい。
【００８２】
（４）本発明は、情報コードを光学的に読み取る情報読取装置に適用されることに限らず、無線タグ等の非接触通信記録媒体に記録された情報を読み取る情報読取装置や記録媒体に表示されて記録された文字情報などを公知の記号認識処理機能（ＯＣＲ）を利用して読み取る情報読取装置等に適用されてもよい。このようにしても、筐体の読取面を記録媒体に向けてその記録媒体の情報を読み取る際、第１発光部及び第２発光部の少なくともいずれか一方が読取結果に応じて発光することで、その発光状態を見た利用者は、読取作業時における読取結果を確実に視認することができる。
【符号の説明】
【００８３】
１０，１０ａ…情報読取装置
１１，１１ｃ…筐体
１２…上面（外面）
１３…側面（読取面）
１３ａ…読取口
２３…受光センサ（読取手段，光学的情報読取手段）
４０…制御部（読取手段，光学的情報読取手段）
４３ａ…タッチセンサ（他方のセンサ）
４３ｂ…タッチセンサ（一方のセンサ）
５０ａ…第１操作キー
５０ｂ…第２操作キー
６０ａ，６０ｃ…第１発光部
６０ｂ，６０ｄ…第２発光部
Ｃ…情報コード
Ｒ…記録媒体
【図１】
2019016315.tif 000003
【図２】
2019016315.tif 000004
【図３】
2019016315.tif 000005
【図４】
2019016315.tif 000006
【図５】
2019016315.tif 000007
【図６】
2019016315.tif 000008
【図７】
2019016315.tif 000009
【図８】
2019016315.tif 000010
【図９】
2019016315.tif 000011
【図１０】
2019016315.tif 000012
【図１１】
2019016315.tif 000013
【図１２】
2019016315.tif 000014
【図１３】
2019016315.tif 000015
【図１４】
2019016315.tif 000016
【図１５】
2019016315.tif 000017
【図１６】
2019016315.tif 000018
【図１７】
2019016315.tif 000019
【図１８】
2019016315.tif 000020
【図１９】
2019016315.tif 000021
【図２０】
2019016315.tif 000022